(57)【要約】【課題】形状の整った唐揚類を製造することができる唐揚類製造装置を提供する。【解決手段】油調を行う大きさに切断された油調前食肉塊を搬送する搬送部と、前記搬送部により搬送された前記油調前食肉塊を整形する整形部と、前記油調前食肉塊を油調する油調槽と、前記整形部により整形された前記油調前食肉塊を前記油調槽に投入する投入部とを備える。【選択図】図１
2018117753.tif 000002
【特許請求の範囲】
【請求項１】
油調を行う大きさに切断された油調前食肉塊を搬送する搬送部と、
前記搬送部により搬送された前記油調前食肉塊を整形する整形部と、
前記油調前食肉塊を油調する油調槽と、
前記整形部により整形された前記油調前食肉塊を前記油調槽に投入する投入部と、
を備えることを特徴とする唐揚類製造装置。
【請求項２】
前記整形部は、前記油調前食肉塊を収容するくぼみ部を有し、
前記投入部は、前記くぼみ部を傾斜または反転させて前記油調前食肉塊を前記油調槽に放出する放出機構を備えることを特徴とする請求項１記載の唐揚類製造装置。
【請求項３】
前記整形部のくぼみ部は、内壁面の少なくとも一部が曲面により形成されていることを特徴とする請求項２記載の唐揚類製造装置。
【請求項４】
柱形状であり該柱形状の相対する端面の中心を通る回転軸を有する回転体を備え、
前記回転体の外壁面において前記回転軸に沿って複数の前記くぼみ部が設けられていることを特徴とする請求項２または３に記載の唐揚類製造装置。
【請求項５】
前記回転体は多角柱であり、
前記くぼみ部は、前記多角柱を構成する前記外壁面に設けられていることを特徴とする請求項４記載の唐揚類製造装置。
【請求項６】
前記多角柱は六角柱であることを特徴とする請求項５記載の唐揚類製造装置。
【請求項７】
前記整形部は、前記搬送部の端部から前方斜め下に傾斜する傾斜構造を備えることを特徴とする請求項１記載の唐揚類製造装置。
【請求項８】
前記傾斜構造は、下端部に前記傾斜構造の下端部以外の部分の傾斜角度よりも傾斜角度が小さい速度抑制部を備えることを特徴とする請求項７記載の唐揚類製造装置。
【請求項９】
前記速度抑制部の傾斜角度は、前記速度抑制部の端部に向かって連続的に小さくなることを特徴とする請求項８記載の唐揚類製造装置。
【請求項１０】
前記整形部は、内壁面の少なくとも一部が曲面により形成されている、前記油調前食肉塊を収容するくぼみ部を有し、
前記投入部は、前記くぼみ部を分割して前記油調前食肉塊を前記油調槽に放出する放出機構を備えることを特徴とする請求項１記載の唐揚類製造装置。
【請求項１１】
前記整形部は、前記油調前食肉塊を収容する凹部と、該凹部の底面に設けられた開放可能な床面を有し、
前記投入部は、前記底面を開放して前記凹部に収容されている前記油調前食肉塊を前記油調槽に放出する放出機構を備えることを特徴とする請求項１記載の唐揚類製造装置。
【発明の詳細な説明】
【技術分野】
【０００１】
本発明は、コンビニエンスストア等で販売される唐揚類を製造する唐揚類製造装置に関するものである。
【背景技術】
【０００２】
従来、コンビニエンスストア等で販売される唐揚類は、大きさ、形状等について所定の規格内のものにする必要があることから、油調を行う大きさに予め個別に切断された食肉塊の集団の中から作業員が１つずつ食肉塊を手作業により取り出し、食肉塊に付着した皮などの薄片部が広がらない様に食肉塊の形状を整えて油調槽内に静かに投入して油調を行っていた。
【０００３】
なお大量の鶏肉を自動フライヤーに投入して一度に大量の鶏唐揚を製造する方法は、特許文献１などに開示されている。
【先行技術文献】
【特許文献】
【０００４】
【特許文献１】特開２０１３−１７４００号公報
【発明の概要】
【発明が解決しようとする課題】
【０００５】
しかしながら食肉塊を手作業により油調槽内に投入する作業は過酷な労働環境での作業となることから作業員の確保が困難になっており、また作業員の人件費も高騰しており、作業の機械化が要望されていた。
【０００６】
また特許文献１に開示された製造方法等により大量の鶏肉を自動フライヤーに投入して一度に大量の鶏唐揚を製造する場合には、大量の唐揚を形状の整ったものとすることは困難であった。
【０００７】
本発明の目的は、形状が整った唐揚類を製造することができる唐揚類製造装置を提供することである。
【課題を解決するための手段】
【０００８】
本発明の唐揚類製造装置は、油調を行う大きさに切断された油調前食肉塊を搬送する搬送部と、前記搬送部により搬送された前記油調前食肉塊を整形する整形部と、前記油調前食肉塊を油調する油調槽と、前記整形部により整形された前記油調前食肉塊を前記油調槽に投入する投入部と、を備えることを特徴とする。
【０００９】
また本発明の唐揚類製造装置は、前記整形部が前記油調前食肉塊を収容するくぼみ部を有し、前記投入部は、前記くぼみ部を傾斜または反転させて前記油調前食肉塊を前記油調槽に放出する放出機構を備えることを特徴とする。
【００１０】
また本発明の唐揚類製造装置は、前記整形部のくぼみ部が内壁面の少なくとも一部が曲面により形成されていることを特徴とする。
【００１１】
また本発明の唐揚類製造装置は、柱形状であり該柱形状の相対する端面の中心を通る回転軸を有する回転体を備え、前記回転体の外壁面において前記回転軸に沿って複数の前記くぼみ部が設けられていることを特徴とする。
【００１２】
また本発明の唐揚類製造装置は、前記回転体が多角柱であり、前記くぼみ部は、前記多角柱を構成する前記外壁面に設けられていることを特徴とする。
【００１３】
また本発明の唐揚類製造装置は、前記多角柱が六角柱であることを特徴とする。
【００１４】
また本発明の唐揚類製造装置は、前記整形部が前記搬送部の端部から前方斜め下に傾斜する傾斜構造を備えることを特徴とする。
【００１５】
また本発明の唐揚類製造装置は、前記傾斜構造が下端部に前記傾斜構造の下端部以外の部分の傾斜角度よりも傾斜角度が小さい速度抑制部を備えることを特徴とする。
【００１６】
また本発明の唐揚類製造装置は、前記速度抑制部の傾斜角度が前記速度抑制部の端部に向かって連続的に小さくなることを特徴とする。
【００１７】
また本発明の唐揚類製造装置は、前記整形部が内壁面の少なくとも一部が曲面により形成されている、前記油調前食肉塊を収容するくぼみ部を有し、前記投入部は、前記くぼみ部を分割して前記油調前食肉塊を前記油調槽に放出する放出機構を備えることを特徴とする。
【００１８】
また本発明の唐揚類製造装置は、前記整形部が前記油調前食肉塊を収容する凹部と、該凹部の底面に設けられた開放可能な床面を有し、前記投入部は、前記底面を開放して前記凹部に収容されている前記油調前食肉塊を前記油調槽に放出する放出機構を備えることを特徴とする。
【発明の効果】
【００１９】
本発明によれば、食肉塊に付着した皮などの薄片部が広がらず形状の整った唐揚類を製造することができる唐揚類製造装置を提供することができる。
【図面の簡単な説明】
【００２０】
【図１】実施の形態に係る唐揚類製造装置の斜視図である。
【図２】実施の形態に係るホッパー及び搬送部を示す平面図である。
【図３】実施の形態に係るホッパー及び搬送部を示す断面図（図２におけるＡ−Ａ断面図）である。
【図４】実施の形態に係る食肉塊の形状を示す図である。
【図５】実施の形態に係る整形シュートの斜視図である。
【図６】実施の形態に係る他の唐揚類製造装置の斜視図である。
【図７】実施の形態に係る他の唐揚類製造装置の仕切り板の形状を示す図である。
【図８】実施の形態に係る他の唐揚類製造装置の断面図である。
【図９】実施の形態に係る他の整形部及び投入部を示す図である。
【図１０】実施の形態に係る他の整形部及び投入部を示す図である。
【発明を実施するための形態】
【００２１】
以下、図面を参照して実施の形態に係る唐揚類製造装置について説明する。ここで唐揚類には、唐揚だけでなく、竜田揚げ、フリッター等衣を付与した揚げ物、素材のまま又は少量の調味料を付加した素揚げ等を含む。また食肉塊には、鶏肉、牛肉、豚肉、馬肉、ヤギ肉等の畜肉類、シカ肉、熊肉等の獣肉類、魚類、イカ、タコ等を含む魚介類の食肉塊を含む。食肉類に打ち粉やバッター等を混合したものなど下処理をしたものを含む。
【００２２】
図１は実施の形態に係る唐揚類製造装置の斜視図である。唐揚類製造装置２は、予め油調を行う大きさに個別に切断された食肉塊である油調前肉塊（以下、食肉塊という。）の集団を収容するホッパー４と、ホッパー４の下部に設けられホッパー４から排出された食肉塊を搬送する搬送部６と、ホッパー４及び搬送部６を振動させる加振装置８と、搬送部６により搬送された食肉塊を整形する整形部１０と、食肉塊を油調する油調槽１２と、整形部１０により整形された食肉塊を油調槽１２に投入する投入部１４とを備えている。ホッパー４に収容される食肉塊は、食肉を調理用に予め個別に切断したものであり、調理または喫食に適した大きさ、例えば皮などの突起部を含まない一口大の大きさである。
【００２３】
図２は実施の形態に係るホッパー及び搬送部を示す平面図であり、図３は実施の形態に係るホッパー及び搬送部を示す断面図（図２におけるＡ−Ａ断面図）である。ホッパー４は、水平面から１０〜５０度の角度で下方に傾斜するホッパー床面４ａを有する。ホッパー床面４ａは、傾斜方向に沿って延びる複数のホッパー仕切り板４ｂを備えており、ホッパー床面４ａ上にホッパー仕切り板４ｂにより仕切られた流路が形成されている。ホッパー床面４ａの傾斜方向の下方端部、即ち流路の下方端部には、搬送部６に連通する開口４ｃが形成されている。開口４ｃは、ホッパー４に収容される食肉塊が１個ずつ通過可能な大きさを有している。例えば食肉塊が鶏肉塊である場合には、食肉塊に付着した皮などの薄片部を除いた部分は図４（ａ）の平面図及び図４（ｂ）の側面図に示すように、食肉塊は平面における短辺が平均４０ｍｍ、長辺が平均５０ｍｍであり、側面における高さが平均３０ｍｍの大きさを有するため、開口４ｃはこの大きさの食肉塊が１個ずつ通過する大きさに形成されている。
【００２４】
搬送部６は、並置された複数のトラフ６ａを備えている。ここで搬送部６のトラフ６ａは、トラフ６ａにおける食肉塊の搬送方向がホッパー床面４ａの傾斜方向と反対方向になるように形成されている。また複数のトラフ６ａのそれぞれの一方の端部が開口４ｃの下部に位置するように設置されている。更にトラフ６ａは一方の端部から他方の端部に向かって水平面から約５度の角度で下方に傾斜するように設置されている。
【００２５】
トラフ６ａは長手方向に直交する断面が凹状の搬送面を有しており、搬送面にはエンボス加工が施されている。トラフ６ａと隣接するトラフ６ａの間には、食肉塊の搬送方向に延びる仕切り板６ｂが設けられている。更にホッパー４の出口のトラフ６上には、Ｌ字状のすり切り板７がその底部を仕切り板６ｂの上端部に接した状態で設置されている。
【００２６】
整形部１０は、搬送部６により搬送された食肉塊を１つずつ丸い形に整形する。整形部１０は、六角柱の相対する端面の中心を通る回転軸を有する回転体１０ａを備えており、六角柱を構成する各外壁面に回転軸に沿って食肉塊を収容する複数のくぼみ部１０ｂを有している。ここでくぼみ部１０ｂは、各トラフ６ａのそれぞれの他端部の下部に対応する回転体１０ａ上の位置に形成されている。なおくぼみ部１０ｂは、内壁面の少なくとも一部が曲面により形成されているものであり、半球状のくぼみ部だけでなく、球を平面で切り取った曲面やしずく型のくぼみ部でもよく、更に球面の一部が平面になっているくぼみ部などでもよい。
【００２７】
投入部１４は、くぼみ部１０ｂが形成されている回転体１０ａの回転軸を回転させることにより回転体１０ａを回転させ、食肉塊を収容しているくぼみ部１０ｂを傾斜または反転させて食肉塊を油調槽１２に放出する放出機構を備えている。
【００２８】
この実施の形態に係る唐揚類製造装置２を用いて唐揚を製造する場合には、個別に切断されており、打ち粉とバッター液を混合した食肉塊をホッパー４に投入する。加振装置８によりホッパー４及び搬送部６に振動を加えると、ホッパー４内において食肉塊がホッパー仕切り板４ｂにより仕切られた流路内を開口４ｃの方向に順次移動する。この場合に食肉塊は、ホッパー仕切り板４ｂの側面とホッパー床面４ａに接しながら開口４ｃに向かって移動するため、ホッパー仕切り板４ｂ及びホッパー床面４ａから抵抗を受け移動速度が抑制される。また加振装置８は、トラフ６ａ上の食肉塊をトラフ６ａの他端部に向かって搬送する方向に振動を加えており、ホッパー４内の食肉塊の移動方向と反対方向であるため、ホッパー４内の食肉塊はホッパー４内の流路をゆっくり開口４ｃに向かって進むことになる。従って一度に多量の食肉塊をホッパー４の開口４ｃに集中させることなく、１個ずつ順次開口４ｃから落下させることができる。
【００２９】
トラフ６ａ上に落下した食肉塊は、トラフ６ａ内をトラフ６ａの他端部に向かって移動する。なお食肉塊は、トラフ６ａ内において１個ずつ並んだ状態で他端部に向かって移動する。この場合にホッパー４内においては、トラフ６ａ上にホッパー床面４ａが配置されているためトラフ６ａ内の食肉塊に上部から圧力が付与されることがなくトラフ６ａ内の食肉塊をスムーズに移動させることができる。
【００３０】
またホッパー４の出口のトラフ６ａ上には、すり切り板７が設置されているため、仮にホッパー４内のトラフ６ａにおいて食肉塊に重なりが生じている場合においても、ホッパー４の出口においてトラフ６ａ内の一部の食肉塊の搬送速度を一時的に遅くすることができトラフ６ａ内において食肉塊が１個ずつ並んだ状態とすることができる。またすり切り板７が設置されているため食肉塊が仕切り板６ｂ上に乗り上げるのを防止することができる。なおトラフ６ａの搬送面にはエンボス加工が施されているため、食肉塊とトラフ６ａの搬送面との接触面積を小さくすることができ、食肉塊のトラフ６ａの搬送面への張り付きを防止することができる。
【００３１】
トラフ６ａの他端部まで移動した食肉塊は、１個ずつトラフ６ａの他端部から落下し、整形部１０の回転体１０ａ上に落下する。この場合、投入部１４の放出機構が回転体１０ａを回転させているため、落下した食肉塊は自重と回転体１０ａの回転力により、回転体１０ａの何れかの面に形成されているくぼみ部１０ｂ内へ入る。回転体１０ａが回転することにより、くぼみ部１０ｂ内において食肉塊の形状が丸く整えられ、投入部１４により形状が丸く整えられた食肉塊が１個ずつ油漕内１２へ投入される。
【００３２】
従ってこの実施の形態に係る唐揚類製造装置２を用いることにより、食肉塊に付着した皮などの薄片部が広がらず形状が丸く整えられた唐揚を製造することができる。
【００３３】
なお上述の実施の形態においては、回転体１０ａを構成する六角柱の外壁面にくぼみ部１０ｂを設けた整形部１０を備えているが、六角柱以外の多角柱や円柱の外壁面にくぼみ部を設けた整形部を備えていてもよい。
【００３４】
また上述の実施の形態においては、回転体１０ａを構成する六角柱の外壁面にくぼみ部１０ｂを設けた整形部１０を備えているが、搬送部６のトラフ６ａ他端部から前方斜め下に傾斜する傾斜構造を有する整形シュート２０により構成される整形部を備えていてもよい。即ち図５に示すように。トラフ６ａ他端部に配置されている整形用シュート２０は、傾斜構造２０ａの下端部に、下端部以外の部分の傾斜角度よりも傾斜角度が小さい速度抑制部２０ｂを備えている。速度抑制部２０ｂの傾斜角度は、速度抑制部２０ｂの端部に向かって連続的に小さくなるように構成されている。また整形用シュート２０の内壁面にはエンボス加工が施されている。
【００３５】
トラフ６ａの他端部から整形用シュート２０内に食肉塊が自重により落下すると、加振装置８により前後方向（図に示す矢印方向）に振動させている整形用シュート２０の傾斜構造２０ａに沿って食肉塊が落下し速度抑制部２０ｂにより食肉塊が跳ね上げられて食肉塊が回転する。なお整形用シュート２０の内壁面にはエンボス加工が施されていることから、食肉塊をスムーズに回転させることができる。回転により形状が整えられた食肉塊は、形状を維持した状態で油調槽１２内に落下する。即ち整形用シュート２０が整形部１０及び投入部１４として機能する。従って整形用シュート２０を用いることにより食肉塊に付着した皮などの薄片部が広がらず形状の整った唐揚を製造することができる。
【００３６】
また上述の実施の形態に係る唐揚類製造装置２においては、すり切り板７を設置することにより、トラフ６ａと隣接するトラフ６ａの間に設けられた仕切り板６ｂ上に食肉塊が乗り上げるのを防止しているが、すり切り板７を設けずトラフ６ａと隣接するトラフ６ａの間に設けた仕切り板６ｂの長手方向に直交する断面形状の上部を曲面形状とすることにより、食肉塊の仕切り板６ｂへの乗り上げを防止し、隣接するトラフ６ａの何れかに食肉塊が入るようにしてもよい。即ち図６の唐揚類製造装置２に示すように、すり切り板７を設けない場合においても、図７の搬送部６の断面形状に示すように、仕切り板６ｂの長手方向に直交する断面の上部が曲面形状、例えば半径ｒが８ｍｍ以上の半円状の断面とすることで、食肉塊が仕切り板６ｂ上に乗り上げた場合においても仕切り板６ｂから滑り落ちトラフ６ａ内に収まる。
【００３７】
また上述の実施の形態に係る唐揚類製造装置２においては、ホッパー床面４ａの傾斜方向と搬送部６における食肉塊の搬送方向は反対方向であるが、図８に示す唐揚類製造装置３０のようにホッパー床面４ａの傾斜方向と搬送部６における食肉塊の搬送方向が同一方向となるように構成してもよい。この場合にはホッパー４を加振する加振動装置８ａと搬送部６を加振する加振動装置８ｂとを別々に設け、ホッパー４を加振する加振動装置８ａは、搬送部６を加振する加振動装置８ｂに比べ加振力を小さくする。これにより一度に多量の食肉塊をホッパー４の開口４ｃに集中させることなく、１個ずつ順次開口４ｃから落下させることができる。
【００３８】
また上述の実施の形態に係る整形部１０及び投入部１４を図９に示す構成にしてもよい。即ち図９（ａ）に示すように整形部４０は内壁面の少なくとも一部が曲面により形成されているくぼみ部４０ａを有し、このくぼみ部４０ａにより食肉塊の形状を整える。図９（ｂ）に示すように投入部は、支点４０bを軸としてくぼみ部４０ａを分割し食肉塊を油調槽１２に放出する放出機構を備えるようにしてもよい。
【００３９】
また上述の実施の形態に係る整形部１０及び投入部１４を図１０に示す構成にしてもよい。図１０（ａ）は整形部及び投入部を示す斜視図であり、図１０（ｂ）は図１０（ａ）のＢ−Ｂ断面図である。整形部５０は、食肉塊を1つずつ収容する複数凹部５０ａと、複数凹部５０ａの底面を開放するために移動可能な床面５０ｂを有している。図１０（ｂ）に示すように投入部の放出機構は、底面５０ｂを移動させて凹部５０ａの底面を開放し食肉塊を油調槽１２に放出する。
【００４０】
また上述の実施の形態においては、打ち粉とバッター液を混合した食肉塊を用いて唐揚を製造する場合について説明したが、肉塊を単独で、または調味料等で下味をつけた肉塊を用いて唐揚類を製造してもよい。
【符号の説明】
【００４１】
２…唐揚類製造装置、４…ホッパー、４ａ…ホッパー床面、４ｂ…ホッパー仕切り板、４ｃ…開口、６…搬送部、６ａ…トラフ、６ｂ…仕切り板、７…すり切り板、８…加振装置、１０…整形部、１０ａ…回転軸、１０ｂ…くぼみ部、１２…油調槽、１４…投入部、２０…整形用シュート
【図１】
2018117753.tif 000003
【図２】
2018117753.tif 000004
【図３】
2018117753.tif 000005
【図４】
2018117753.tif 000006
【図５】
2018117753.tif 000007
【図６】
2018117753.tif 000008
【図７】
2018117753.tif 000009
【図８】
2018117753.tif 000010
【図９】
2018117753.tif 000011
【図１０】
2018117753.tif 000012